(57)【特許請求の範囲】
【請求項１】
撮像手段を備えた撮像装置本体に対して、可動自在でかつタッチパネル機能を有した第１の表示部と、第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部での表示を行うとともに、前記タッチパネル機能のうち少なくとも１部の機能を無効とするように制御する制御手段と、
を有することを特徴とする撮像装置。
【請求項２】
前記制御手段は、前記第１の表示部において、前記撮像手段で撮像されている画像を逐次表示するスルー画像表示を行うように制御することを特徴とする請求項１に記載の撮像装置。
【請求項３】
前記制御手段は、該第１の表示部の表示面が、前記撮像手段で撮像される被写体側を向いている位置であることを検出し、かつ、前記判定手段により、前記第２の表示部が利用状態でないと判定した場合に、前記第１の表示部での表示を行うように制御するとともに、前記タッチパネル機能を有効とするように制御することを特徴とする請求項１または２に記載の撮像装置。
【請求項４】
前記制御手段は、該第１の表示部の表示面が、前記被写体と反対側を向く位置であることを検出し、かつ、前記判定手段により、前記第２の表示部が利用状態であると判定した場合に、前記第１の表示部での表示を行うとともに、前記タッチパネル機能を有効とするように制御することを特徴とする請求項１乃至３の何れか１項に記載の撮像装置。
【請求項５】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、前記第１の表示部の表面に対する一部の領域のタッチ操作を無効にするように制御することを特徴とする請求項１乃至４の何れか１項に記載の撮像装置。
【請求項６】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、特定の種類のタッチ操作を無効にするように制御することを特徴とする請求項１乃至４の何れか１項に記載の撮像装置。
【請求項７】
前記特定の種類のタッチ操作は、前記第１の表示部の表示面へ１回タッチして離す操作であるシングルタッチ、該表示面へタッチしたまま移動してそのまま離す操作であるフリックの少なくともいずれかであることを特徴とする請求項６に記載に撮像装置。
【請求項８】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、前記第１の表示部の表示面へタッチしたままの移動軌跡が所定条件を満たした場合に機能を発動する操作であるジェスチャ操作、該表示面に表示された特定の表示アイテムをタッチし、該表示面にタッチしたまま特定の場所に移動するドラッグ操作は受付けるように制御することを特徴とする請求項６または７に記載の撮像装置。
【請求項９】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部に警告を表示するように制御することを特徴とする請求項１乃至８の何れか１項に記載の撮像装置。
【請求項１０】
前記第２の表示部は、前記撮像装置本体に備えられた、被写体像を観察するための覗き込み型の表示部であることを特徴とする請求項１乃至９の何れか１項に記載の撮像装置。
【請求項１１】
前記第２の表示部は、前記撮像装置本体に対する収納位置と引き出し位置とに移動可能であり、前記判定手段は、該第２の表示部が該収納位置である場合に利用状態ではないと判定し、該第２の表示部が引き出し位置である場合に利用状態であると判定することを特徴とする請求項９に記載の撮像装置。
【請求項１２】
前記第２の表示部は、前記撮像装置本体に備えられた、前記撮像素子で撮像されている画像を表示するための電子ビューファインダであり、前記判定手段は、該第２の表示部での表示動作が行われているか否かに基づいて前記利用状態であるか否かを判定することを特徴とする請求項１乃至１０の何れか１項に記載の撮像装置。
【請求項１３】
前記第２の表示部は、前記撮像装置本体に備えられた、被写体の光学像を観察するための光学ファインダであり、前記判定手段は、該光学ファインダへの接眼の有無に基づいて前記利用状態であるか否かを判定することを特徴とする請求項１乃至１０の何れか１項に記載の撮像装置。
【請求項１４】
前記第２の表示部は、有線または無線によって当該撮像装置と接続された外部モニタであることを特徴とする請求項１乃至９の何れか１項に記載の撮像装置。
【請求項１５】
前記判定手段は、前記外部モニタが当該撮像装置に接続されていることが検知されているときに、前記利用状態であると判定することを特徴とする請求項１４に記載の撮像装置。
【請求項１６】
前記検出手段は、前記第１の表示部が前記撮像装置本体に対して開閉方向に回動する際の回転軸である第１の軸回りにおける位置を検出する第１の検出手段と、前記第１の表示部が前記撮像装置本体に対して正位置から反転位置まで回動する際の回転軸である第２の軸回りの位置を検出する第２の検出手段を含み、
前記第１の表示部の表示面が、前記撮像手段で撮像される被写体側を向いている位置とは、前記第１の検出手段により検出された前記第１の表示部の前記第１の軸回りにおける位置が閉位置から開位置の方向に第１の所定角度を超えた範囲にあり且つ、前記第２の検出手段により検出された前記第１の表示部の前記第２の軸回りにおける位置が前記正位置から前記反転位置の方向に第２の所定角度を超えた範囲にある場合の位置であることを特徴とする請求項１乃至１５の何れか１項に記載の撮像装置。
【請求項１７】
撮像手段を備えた撮像装置本体に対して、可動自在でかつタッチパネル機能を有した第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、該第１の表示部の表示面が、前記撮像手段で撮像される被写体側を向いている位置であることを検出し、かつ、前記判定ステップにより、前記第２の表示部が利用状態であると判定した場合に、前記第１の表示部での表示を行うとともに、前記タッチパネル機能のうち少なくとも１部の機能を無効とするように制御する制御ステップと、
を有することを特徴とする撮像装置の制御方法。
【請求項１８】
コンピュータを、請求項１乃至１６の何れか１項に記載された撮像装置の各手段として機能させるプログラム。
【請求項１９】
コンピュータを、請求項１乃至１６の何れか１項に記載された撮像装置の各手段として機能させるプログラムを格納したコンピュータが読み取り可能な記憶媒体。
【請求項２０】
撮像手段を備えた撮像装置本体に対して、可動自在でかつタッチパネル機能を有する第１の表示部と、第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、前記第１の表示部の表示面が、前記撮像手段で撮像される被写体側を向く位置にあることが検出され、かつ、前記判定手段により、前記第２の表示部が前記利用状態であると判定された場合に、前記第１の表示部での表示を行うとともに、前記タッチパネル機能の全てを無効とするように制御する制御手段と、
を有することを特徴とする撮像装置。
【請求項２１】
撮像手段を備えた撮像装置本体に対して、可動自在でかつタッチパネル機能を有する第１の表示部と第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、前記第１の表示部の表示面が、前記撮像手段で撮像される被写体側を向く位置にあることが検出され、かつ、前記判定手段により、前記第２の表示部が前記利用状態であると判定された場合に、前記第１の表示部での表示を行うとともに、前記第１の表示部の表示面を１回タッチして離す操作であるシングルタッチを無効とするように制御し、前記第１の表示部の表示面へタッチしたまま移動する際の移動軌跡が所定条件を満たした場合に機能を発動する操作であるジェスチャ操作及び／又は、前記表示面に表示された特定の表示アイテムがタッチされ、前記表示面においてタッチされたまま特定の場所に移動される操作であるドラッグ操作の受け付けを可能にするように制御する制御手段と、
を有することを特徴とする撮像装置。
【請求項２２】
撮像手段を備えた撮像装置本体に対して、可動自在でかつタッチパネル機能を有する第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、前記第１の表示部の表示面が、前記撮像手段で撮像される被写体側を向く位置にあることが検出され、かつ、前記判定ステップにより、前記第２の表示部が前記利用状態であると判定された場合に、前記第１の表示部での表示を行うとともに、前記タッチパネル機能の全てを無効とするように制御する制御ステップと、
を有することを特徴とする撮像装置の制御方法。
【請求項２３】
撮像手段を備える撮像装置本体に対して、可動自在でかつタッチパネル機能を有する第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、前記第１の表示部の表示面が、前記撮像手段で撮像される被写体側を向く位置にあることが検出され、かつ、前記判定ステップにより、前記第２の表示部が前記利用状態であると判定された場合に、前記第１の表示部での表示を行うとともに、前記第１の表示部の表示面を１回タッチして離す操作であるシングルタッチを無効とするように制御し、前記第１の表示部の表示面へタッチしたまま移動する際の移動軌跡が所定条件を満たした場合に機能を発動する操作であるジェスチャ操作及び／又は、前記表示面に表示された特定の表示アイテムがタッチされ、前記表示面においてタッチされたまま特定の場所に移動される操作であるドラッグ操作の受け付けを可能にするように制御する制御ステップと、
を有することを特徴とする撮像装置の制御方法。
【請求項２４】
コンピュータを、請求項２０または２１に記載された撮像装置の各手段として機能させるプログラム。
【請求項２５】
コンピュータを、請求項２０または２１に記載された撮像装置の各手段として機能させるプログラムを格納したコンピュータが読み取り可能な記憶媒体。
【発明の詳細な説明】
【技術分野】
【０００１】
本発明は、タッチパネル機能を有する表示部と他の表示部とに像を並行して表示させる撮像装置、撮像装置の制御方法、プログラム及び記憶媒体に関する。
【背景技術】
【０００２】
従来、タッチパネル機能を有する表示部と他の表示部とに像を並行して表示させることが可能な電子装置が知られている。例えば、電子装置としてのデジタルビデオカメラ等の撮像装置においては、電子ビューファインダ（ＥＶＦ）に加えて、装置本体に対して開閉方向と上下方向との２軸方向に回動動作するバリアングル式の表示部を備えたものも知られている。さらに、このバリアングル式の表示部をタッチパネルとして構成し、ユーザが指で触ってカメラの操作を行えるようにし、操作ボタンを削減してカメラ本体の小型化を図る技術も知られている。
【０００３】
このようなバリアングル式のタッチパネルを備えたカメラにおいて、タッチパネルがカメラ前方を向いた場合に、カメラの撮影モードを切り替える技術も提案されている（特許文献１）。
【０００４】
バリアングル式のタッチパネルを備えたカメラにおいて、前方に向けたタッチパネルに、カメラによる撮像画像だけでなく被写体の人物が何らかの興味を惹くような情報を表示させることが可能である。これにより、指示を出すことなくカメラ側に視線を向けさせることができる。
【０００５】
また、タッチパネルに画像だけでなく文字を表示することで、動作の指示を被写体の人物に与えることが可能である。これにより、動画像記録のように音声記録を伴う場合に、音声による指示が記録されることを防止するといった利用の仕方も可能である。
【０００６】
さらには、撮影者が自らにレンズを向け撮影する、いわゆる「自分撮り」においては、タッチパネルを開いた状態で上下反転し、カメラの撮像方向を自分の側へ向ける。そのとき、撮影者自身からはタッチパネルが見え、且つタッチ操作ができるので、どのような画角で撮影しているか等の撮影状況を把握しながら撮影することが可能となる。
【先行技術文献】
【特許文献】
【０００７】
【特許文献１】特開平１１―３５２３８９号公報
【発明の概要】
【発明が解決しようとする課題】
【０００８】
しかしながら、ビデオカメラにおいては特に、通常、タッチパネルが開状態であるときには、タッチ操作を受け付ける機能（タッチパネル機能）が常時有効（オン）とされる。そのため、例えば、タッチパネルをカメラ前方に向けて撮影する際、タッチパネルを不用意に触ってしまう場合がある。特に、カメラ前面に被写体として子供や動物がいた場合、彼らがカメラに近づき過ぎてタッチパネルに触れてしまい、それが、意図しないタッチ操作として認識され、誤操作が発生することもある。
【０００９】
また、タッチパネルを閉方向に動作させ、装置本体に密着させる閉位置に収納する際、タッチパネルの上下方向の回動位置を反転させた状態で、装置本体の外側に表示面が向くように収納することが可能である。この場合でも、通常、タッチパネル機能は有効のままであるので、撮影者が誤ってタッチパネルに触れてしまい、それが、意図しない誤操作となることもあり得る。
【００１０】
このように、バリアングル式のタッチパネルの２軸方向の回動位置の組み合わせによっては、撮影者が意図しないようなタッチ入力が受け付けられるおそれがあり、各種設定や操作を誤って行う場合があるという問題があった。
【００１１】
本発明は上記従来技術の問題を解決するためになされたものであり、その目的は、状況に応じた表示とタッチ操作の受け付けの制限を可能にし、例えば、タッチパネル機能での誤操作を抑制することができる撮像装置、撮像装置の制御方法、プログラム及び記憶媒体を提供することにある。
【課題を解決するための手段】
【００１２】
上記目的を達成するために本発明の撮像装置は、撮像手段を備えた撮像装置本体に対して、可動自在でかつタッチパネル機能を有した第１の表示部と、第２の表示部とに並行して像を表示させることが可能な撮像装置であって、前記第１の表示部の前記撮像装置本体に対する位置を検出する検出手段と、前記第２の表示部が利用状態であるか否かを判定する判定手段と、前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部での表示を行うとともに、前記タッチパネル機能のうち少なくとも１部の機能を無効とするように制御する制御手段と、を有することを特徴とする。
【発明の効果】
【００１３】
本発明によれば、状況に応じた表示とタッチ操作の受け付けの制限を可能にし、例えば、タッチパネル機能での誤操作を抑制することができる。
【図面の簡単な説明】
【００１４】
【図１】本発明の一実施の形態に係る電子装置の背面図、斜視図である。
【図２】カメラの内部構成を示すブロック図である。
【図３】可動パネルのタッチパネル部とＥＶＦの可動状態の組み合わせを示す図である。
【図４】タッチパネル部とＥＶＦの可動状態の組み合わせに応じたタッチパネル部の表示機能及びタッチパネル機能の制御態様を示す概念図である。
【図５】機能制御処理のフローチャートである。
【図６】変形例のカメラの内部構成の一部を示すブロック図である。
【発明を実施するための形態】
【００１５】
以下、本発明の実施の形態を図面を参照して説明する。
【００１６】
図１（ａ）、（ｂ）は、本発明の一実施の形態に係る電子装置の背面図、斜視図である。本電子装置は、一例として、デジタルビデオカメラ（以下、「カメラ」という）１００として構成される。このカメラ１００は、装置本体１０１に、第１の表示部としてバリアングル式の可動パネル１１０を備えると共に、第２の表示部として可動式の電子ビューファインダ（以下、「ＥＶＦ」）１０２とを備える。撮像における光軸方向において被写体側を前側とし、上下、左右方向については、後側に位置する操作者（撮影者）から見た方向で呼称する。従って、図１（ａ）では背面が現れ、図１（ｂ）で背面、左側面、上面が現れている。図１（ａ）、（ｂ）では、可動パネル１１０が開かれた状態が示されている。
【００１７】
装置本体１０１には、撮影指示を行うためのトリガーボタン１０４、各種モードを切り替えるためのモード切替スイッチ１０３、さらに、ユーザからの各種操作を受け付ける各種スイッチやボタンでなる操作子群１１４が備えられる。装置本体１０１にはまた、電源オン、電源オフを切り替えるための電源スイッチ１０８、不図示の接続ケーブルで外部機器と接続するためのコネクタ１０５が設けられる。さらに、装置本体１０１には、メモリカード、ハードディスク、半導体メモリあるいは磁気ディスク等でなる記録媒体５７（図２参照）を格納するための記録媒体スロット１０６が設けられる。記録媒体スロット１０６に格納された記録媒体５７は、カメラ１００との通信が可能となる。記録媒体スロット１０６には、蓋１０７で保護される。
【００１８】
ＥＶＦ１０２は、軸線Ｃ３（図１（ｂ））方向（前後方向）に沿ってスライド移動させて引き出し／収容が可能に構成される。ＥＶＦ１０２は、表示機能の有効（ＯＮ）／無効（ＯＦＦ）が、引き出し位置によって自動的に切り替わるようになっている。前端位置から所定量の範囲内では無効、前端位置から後方に所定量以上引き出された状態となると有効となる。
【００１９】
可動パネル１１０の同じ側の面に、４方向キーを含むセットボタン１１６と、タッチパネル部１１１とが配設される。タッチパネル部１１１には、画像や各種情報を表示する主表示面１１２、及び複数のタッチ操作部１１３が含まれる。主表示面１１２及びタッチ操作部１１３は、表示機能に加えて、指やペン等による接触によって指示を受け付けるタッチパネル機能を有している。
【００２０】
可動パネル１１０は、軸部１１５によって直交する２軸方向に回動自在に構成される。まず、可動パネル１１０は、装置本体１０１に対して、第１の回動軸Ｃ１を中心に「全閉位置」から「全開位置」までの間を回動して開閉動作すると共に、第２の回動軸Ｃ２を中心に「初期位置」から「反転位置」までの間を回動動作する。ここで、「全閉位置」とは、開閉方向において、可動パネル１１０が装置本体１０１に対向して近接または当接する位置である。「全開位置」は、全閉位置から開方向に９０°回動した位置とする。全閉位置及び全開位置は、第２の回動軸Ｃ２を中心とした回動位置の如何にかかわらず、第１の回動軸Ｃ１を中心とした回動角度で規定される。
【００２１】
また、「初期位置」とは、可動パネル１１０が鉛直方向（第１の回動軸Ｃ１の方向）に平行で且つ全閉位置にあるときに、主表示面１１２のある側の面である内側面が装置本体１０１に対向して近接または当接する位置である。全開位置で且つ初期位置にあるときには、図１（ａ）、（ｂ）に示すように、可動パネル１１０の内側面が後方を向く。可動パネル１１０は、初期位置から、主表示面１１２が徐々に上方を向きやがて初期位置とは反対の方向を向くように回動可能であり、この回動の方向を特に「反転方向」と記す。初期位置から反転位置までの回動角度は１８０°とする。第２の回動軸Ｃ２を中心とした往復の回動方向を便宜上「上下回動方向」とも呼称する。なお、初期位置から、上記した反転方向とは逆の方向にも回動範囲（例えば、９０°）を設けてよい。
【００２２】
図２は、カメラ１００の内部構成を示すブロック図である。
【００２３】
カメラ１００は、カメラ１００全体を制御するシステム制御部（判定手段、制御手段）５０を備える。カメラ１００は、バリア２５、フォーカスレンズを含む撮影レンズ２６、絞り機能を備えるアイリス２７、光学像を電気信号に変換するＣＣＤやＣＭＯＳ素子等で構成される撮像部２２、Ａ／Ｄ変換器２３、画像処理部２４及びメモリ制御部１５を備える。Ａ／Ｄ変換器２３は、撮像部２２から出力されるアナログ信号をデジタル信号に変換するために用いられる。バリア２５は、撮影レンズ２６を覆うことにより、撮影レンズ２６、アイリス２７及び撮像部２２を含む撮像系の汚れや破損を防止する。
【００２４】
画像処理部２４は、Ａ／Ｄ変換器２３からのデータ、または、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＡＦ（オートフォーカス）処理、ＡＥ（自動露出）処理が行われる。画像処理部２４ではさらに、撮像した画像データを用いて所定の演算処理を行い、得られた演算結果に基づいてＡＷＢ（オートホワイトバランス）処理も行っている。
【００２５】
システム制御部５０は、メモリ３２、Ｄ／Ａ変換器１３、タッチパネル部１１１（図１）、ＥＶＦ１０２（図１）等を制御することにより表示制御も行う。Ａ／Ｄ変換器２３からの出力データは、画像処理部２４及びメモリ制御部１５を介してメモリ３２に書き込まれるほか、メモリ制御部１５を介してメモリ３２に直接書き込まれる。メモリ３２は、撮像部２２によって得られＡ／Ｄ変換器２３によりデジタルデータに変換された画像データや、可動パネル１１０のタッチパネル部１１１に表示させるための画像データを格納する。メモリ３２は、所定枚数の静止画像や所定時間の動画像及び音声を格納するのに十分な記憶容量を備えている。
【００２６】
また、メモリ３２は、画像表示用のメモリ（ビデオメモリ）を兼ねている。メモリ３２に格納されている画像表示用のデータはＤ／Ａ変換器１３によりアナログ信号に変換されて、タッチパネル部１１１に供給される。こうして、メモリ３２に書き込まれた表示用の画像データはＤ／Ａ変換器１３を介してタッチパネル部１１１及びＥＶＦ１０２により表示される。
【００２７】
可動パネル１１０のタッチパネル部１１１、ＥＶＦ１０２は、ＬＣＤ等で構成され、システム制御部５０は、それぞれに、Ｄ／Ａ変換器１３からのアナログ信号に応じた表示を行わせる。システム制御部５０は、Ａ／Ｄ変換器２３によって一度Ａ／Ｄ変換されメモリ３２に蓄積されたデジタル信号をＤ／Ａ変換器１３においてアナログ変換し、タッチパネル部１１１、ＥＶＦ１０２に逐次転送して表示させる。これにより、スルー画像表示としての機能が果たされる。
【００２８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいうプログラムとは、本実施の形態にて後述するフローチャートを実行するためのプログラムのことである。
【００２９】
システム制御部５０は、不揮発性メモリ５６に記録されたプログラムを実行することで、後述する各処理を実現する。システムメモリ５２にはＲＡＭが用いられる。システムメモリ５２には、システム制御部５０の動作用の定数、変数、不揮発性メモリ５６から読み出したプログラム等が展開される。システムタイマ５３は、各種制御に用いる時間や、内蔵された時計の時間を計測する計時部である。
【００３０】
電源制御部８０は、電池検出回路、ＤＣ−ＤＣコンバータ、通電するブロックを切り替えるスイッチ回路等により構成され（いずれも図示せず）、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体５７を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプタ等からなる（いずれも図示せず）。インターフェース（Ｉ／Ｆ）１８は、記録媒体５７との情報の授受を可能にする。
【００３２】
モード切替スイッチ１０３（図１も参照）は、システム制御部５０の動作モードを静止画記録モード、動画記録モード、再生モード等のいずれかに切り替える。トリガーボタン１０４（図１も参照）は、その操作により、スタートストップ信号ＳＷを発生させる。スタートストップ信号ＳＷを受けて、システム制御部５０は、カメラ１００が動画記録を行っていなければ動画記録を開始し、記録における一連の動作を開始する。逆に動画記録を行っているのであれば記録における動作を停止し、動画記録を終了する。
【００３３】
モード切替スイッチ１０３及びトリガーボタン１０４に加えて、操作部１２０、開閉検出スイッチ（ＳＷ）９０、反転検出スイッチ（ＳＷ）９１、ＥＶＦ検出スイッチ９２（ＳＷ）が、システム制御部５０に各種の動作指示を入力する役割を果たす。開閉検出スイッチ（第１の検出手段）９０、反転検出スイッチ（第２の検出手段）９１が、可動パネル１１０の可動位置を検出する「検出手段」としての役割を果たす。
【００３４】
操作部１２０には、操作部材として、図１で前述したタッチパネル部１１１（主表示面１１２、タッチ操作部１１３）、操作子群１１４、セットボタン１１６が含まれる。操作部１２０の各操作部材は、タッチパネル部１１１及びＥＶＦ１０２に表示される種々の機能アイコンを選択操作すること等により、場面毎に適宜機能が割り当てられ、各種機能ボタンとして作用する。
【００３５】
機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面がタッチパネル部１１１及びＥＶＦ１０２に表示される。操作者は、タッチパネル部１１１及びＥＶＦ１０２に表示されたメニュー画面と、セットボタン１１６とを用いて直感的に各種設定を行うことができる。
【００３６】
上記したように、タッチパネル部１１１はタッチパネル機能を有し、システム制御部５０は、タッチパネル部１１１への以下のような操作を検出できる。
指やペンで触れたこと（以下、タッチダウンと称する）
指やペンで触れている状態であること（以下、タッチオンと称する）
指やペンで触れたまま移動していること（以下、ムーブと称する）
触れていた指やペンを離したこと（以下、タッチアップと称する）
何も触れていない状態（以下、タッチオフと称する）
これらの操作や、タッチパネル部１１１に指やペンが触れている位置座標は内部バスを通じてシステム制御部５０に通知され、システム制御部５０は通知された情報に基づいてどのような操作が行なわれたかを判定する。
【００３７】
ムーブについては、タッチパネル部１１１上で移動する指やペンの移動方向についても、位置座標の変化に基づいて垂直成分・水平成分毎に判定できる。またタッチパネル部１１１上をタッチダウンから一定のムーブを経てタッチアップをしたとき、ストロークを描いたこととする。素早くストロークを描く操作を「フリック」と呼ぶ。フリックは、タッチパネル部１１１上に指を触れたままある程度の距離だけ素早く動かして、そのまま離すといった操作であり、言い換えればタッチパネル部１１１上を指ではじくように素早くなぞる操作である。所定距離以上を所定速度以上でムーブしたことが検出され、そのままタッチアップが検出されると「フリック」が行なわれたと判定できる。また、所定距離以上を所定速度未満でムーブしたことが検出された場合は「ドラッグ」が行なわれたと判定するものとする。
【００３８】
タッチパネル部１１１は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３９】
開閉検出スイッチ９０、反転検出スイッチ９１は、それぞれ、可動パネル１１０の第１の回動軸Ｃ１（図１）を中心とした開閉位置、第２の回動軸Ｃ２（図１）を中心とした回動位置を検出する。
【００４０】
具体的には、可動パネル１１０の開閉方向の位置が、第１の回動軸Ｃ１を中心に全閉位置から全開位置の方向に「第１の所定角度θ１」を超えた範囲にあるときに、開閉検出スイッチ９０がそれに応じた信号を出力する。また、可動パネル１１０の上下回動方向における位置が、初期位置から反転方向に「第２の所定角度θ２」を超えた範囲にあるときに、反転検出スイッチ９１がそれに応じた信号を出力する。
【００４１】
そして、それらの信号をシステム制御部５０が受けて、可動パネル１１０の開閉方向における現在位置、及び上記した上下回動方向における現在位置を検出（判断）する。本実施の形態では、第１の所定角度θ１、第２の所定角度θ２を閾値として可動パネル１１０の位置を検出するので、実質的には、それぞれ２つに分けた領域（角度領域）のいずれに位置するのかという２段階での判断となる。
【００４２】
システム制御部５０は、開閉方向において、可動パネル１１０が全閉位置から第１の所定角度θ１までの範囲内に位置する場合は「閉状態」と判断し、第１の所定角度θ１から全開位置までの範囲内に位置する場合は「開状態」と判断する。ここで、第１の所定角度θ１の値は、０°に近い値（例えば、５°）の角度とするが、これに限られない。
【００４３】
また、システム制御部５０は、上下回動方向において、可動パネル１１０が初期位置から反転方向に第２の所定角度θ２までの範囲内に位置する場合は「正位置」と判断し、第２の所定角度θ２から反転位置間での範囲内に位置する場合は「反転位置」と判断する。第２の所定角度θ２の値は、例えば、９０°とするが、これに限られない。なお、初期位置から、反転方向とは逆の方向にも９０°以内の範囲で上下回動範囲を設ける場合は、その範囲では「正位置」と判断するようにしてもよい。
【００４４】
ところで、正位置と反転位置とが切り替わると、システム制御部５０は、タッチパネル部１１１への表示を上下反転させるよう制御する。また、各種情報の表示についても、向きや位置を切り替えるようにしてもよい。
【００４５】
ＥＶＦ検出スイッチ９２は、ＥＶＦ１０２の軸線Ｃ３（図１（ｂ））方向における位置を検出する。具体的には、ＥＶＦ検出スイッチ９２は、ＥＶＦ１０２が、前端位置にある収容位置から後方に所定量以上引き出されたことを検出すると、それに応じた信号を出力する。その信号をシステム制御部５０が受けて、ＥＶＦ１０２の軸線Ｃ３に沿う現在位置を検出（判断）する。本実施の形態では、上記の所定量を閾値としてＥＶＦ１０２の位置を検出するので、実質的には、２つに分けた領域（ストローク領域）のいずれに位置するのかという２段階での判断となる。
【００４６】
システム制御部５０は、ＥＶＦ１０２の位置が収容位置から所定量以内の範囲にある場合は、ＥＶＦ１０２の表示機能を無効（ＯＦＦ）となるよう制御する。一方、ＥＶＦ１０２の位置が収容位置から所定量以上の範囲にある場合は、システム制御部５０は、ＥＶＦ１０２の表示機能を有効（ＯＮ）とするよう制御する。この表示機能が有効（ＯＮ）となっている状態が、ＥＶＦ１０２の「利用中」である。
【００４７】
前述のように可動パネル１１０とＥＶＦ１０２はいずれも可動式であるため、様々な状態をとることができる。また、これらの可動状態を検知するスイッチ９０、９１、９２を備えているため、システム制御部５０はカメラ１００がどのような状態であるのかを把握することができる。以下、可動パネル１１０とＥＶＦ１０２の状態の組み合わせと、各組み合わせにおけるタッチパネル部１１１の表示機能及びタッチパネル機能の制御について説明する。
【００４８】
図３は、可動パネル１１０のタッチパネル部１１１とＥＶＦ１０２の可動状態の組み合わせを示す図である。図３（ａ）では、可動パネル１１０の開閉方向の位置が「閉状態」で上下回動方向の位置が「正位置」であり、且つＥＶＦ１０２が無効である状態が示されている。これを「閉−正位置、ＥＶＦ：無効」と略記する。同様に、図３（ｈ）では、可動パネル１１０の開閉方向の位置が「開状態」で上下回動方向の位置が「反転位置」であり、且つＥＶＦ１０２が有効である状態が示されている。これを「開−反転、ＥＶＦ：有効」と略記する。図３中の他の図でも同様に略記されている。このように、８つの組み合わせが考えられる。
【００４９】
図４は、タッチパネル部１１１とＥＶＦ１０２の可動状態の組み合わせに応じたタッチパネル部１１１の表示機能及びタッチパネル機能の制御態様を示す概念図である。図４は、図３で示した８つの状態に対応している。図４において、「パネルの状態」は、第１の所定角度θ１、第２の所定角度θ２を閾値としてシステム制御部５０により判断された、タッチパネル部１１１の開閉方向の位置及び上下回動方向の位置の組み合わせである。「ＥＶＦの状態」において、上段に、システム制御部５０によって制御されるタッチパネル部１１１の表示機能の有効（表示）／無効（非表示）を示す。下段に、システム制御部５０によって制御されるタッチパネル部１１１のタッチパネル機能の有効／無効を示す。タッチパネル機能の無効とは、タッチパネル部１１１に接触があってもそれを入力や指示として受け付けないという意味である。
【００５０】
図４に示すように、「閉−正位置、ＥＶＦ：無効」の状態（図３（ａ））では、可動パネル１１０が内向きに全閉状態となって当接乃至近接状態で収容され、ＥＶＦ１０２も収容されている。この場合は、タッチパネル部１１１の表示機能が無効（非表示）、タッチパネル機能が無効とされる。「閉−正位置、ＥＶＦ：有効」の状態（図３（ｂ））では、ＥＶＦ１０２のみが利用されているから、図３（ａ）の場合と同様に表示機能が無効、タッチパネル機能が無効とされる。
【００５１】
「閉−反転、ＥＶＦ：無効」の状態（図３（ｃ））では、通常、タッチパネル部１１１を用いた表示やタッチ操作が必要であるから、表示機能が有効（表示）、タッチパネル機能が有効とされる。「閉−反転、ＥＶＦ：有効」の状態（図３（ｄ））では、撮影者はＥＶＦ１０２を覗きながら撮像することが想定され、その場合に、タッチパネル部１１１に不用意に触れてしまうことが想定される。そこで、表示機能が無効、タッチパネル機能が無効とされる。
【００５２】
「開−正位置、ＥＶＦ：無効」の状態（図３（ｅ））では、撮影者はタッチパネル部１１１を見ながら撮像することが想定され、その場合に、タッチパネル部１１１にタッチ操作で入力等を行う必要もあり得る。そこで、表示機能が有効、タッチパネル機能が有効とされる。
【００５３】
「開−正位置、ＥＶＦ：有効」の状態（図３（ｆ））では、撮影者はタッチパネル部１１１とＥＶＦ１０２とに並行して表示される像を見ながら撮像することが想定され、その場合に、タッチパネル部１１１にタッチ操作で入力等を行う必要もあり得る。そこで、表示機能が有効、タッチパネル機能が有効とされる。
【００５４】
「開−反転、ＥＶＦ：無効」の状態（図３（ｇ））では、撮影者がカメラ１００の前側に位置し、いわゆる自分録りを行う撮影態様が想定される。その場合に、タッチパネル部１１１にタッチ操作で入力等を行う必要もあり得る。そこで、表示機能が有効、タッチパネル機能が有効とされる。
【００５５】
「開−反転、ＥＶＦ：有効」の状態（図３（ｈ））では、撮影者はＥＶＦ１０２を覗きながら撮像し、なおかつ被写体にはタッチパネル部１１１の主に主表示面１１２での表示を見せながら撮影する撮影態様が想定される。その場合に、カメラ１００の後側にいる撮影者はタッチパネル部１１１にタッチ操作することはあまり想定されない。その一方、カメラ前面にいる被写体が子供や動物である場合等には、彼らが不用意に、あるいはいたずらで、タッチパネル部１１１に触れてしまうことが起こりえる。そこで、この状態の場合は、表示機能は有効とされるが、タッチパネル機能は無効とされる。これにより、誤操作が抑制される。
【００５６】
上記のような表示機能及びタッチパネル機能のシステム制御部５０による制御をフローチャートにて説明する。
【００５７】
図５は、機能制御処理のフローチャートである。この処理は、カメラ１００の動作中においてシステム制御部５０によって所定周期間隔で繰り返し実行される。
【００５８】
まず、ステップＳ５０１で、システム制御部５０は、開閉検出スイッチ９０の検出結果から、可動パネル１１０の開閉状態（第１の回動軸Ｃ１を中心とした回動状態が閉状態であるか開状態であるか）を判別する。その判別の結果、システム制御部５０は、可動パネル１１０が開状態である場合はステップＳ５０２へ処理を進める一方、閉状態である場合はステップＳ５０４へ処理を進める。
【００５９】
ステップＳ５０２では、システム制御部５０は、反転検出スイッチ９１の検出結果から、可動パネル１１０の反転状態（第２の回動軸Ｃ２を中心とした上下回動方向の位置が正位置にあるか反転位置にあるか）を判別する。その判別の結果、システム制御部５０は、可動パネル１１０が反転位置にある場合はステップＳ５０３へ処理を進める一方、正位置にある場合はステップＳ５０８へ処理を進める。
【００６０】
ステップＳ５０３では、システム制御部５０は、ＥＶＦ検出スイッチ９２の検出結果から、ＥＶＦ１０２が利用中であるか否か、すなわち、ＥＶＦ１０２の表示機能の動作状態（有効（ＯＮ）か無効（ＯＦＦ）か）を判別する。その判別の結果、システム制御部５０は、ＥＶＦ１０２が有効である場合は、ステップＳ５０６へ処理を進める一方、無効である場合はステップＳ５０８へ処理を進める。
【００６１】
ステップＳ５０４では、システム制御部５０は、反転検出スイッチ９１の検出結果から、可動パネル１１０の反転状態（正位置にあるか反転位置にあるか）を判別する。その判別の結果、システム制御部５０は、可動パネル１１０が反転位置にある場合はステップＳ５０５へ処理を進める一方、正位置にある場合はステップＳ５０９へ処理を進める。
【００６２】
ステップＳ５０５では、システム制御部５０は、ＥＶＦ検出スイッチ９２の検出結果から、ＥＶＦ１０２が利用中であるか否か、すなわち、ＥＶＦ１０２の表示機能の動作状態（有効（ＯＮ）か無効（ＯＦＦ）か）を判別する。その判別の結果、システム制御部５０は、ＥＶＦ１０２が有効である場合はステップＳ５０９へ処理を進める一方、無効である場合はステップＳ５０８へ処理を進める。
【００６３】
ステップＳ５０６では、システム制御部５０は、可動パネル１１０のタッチパネル部１１１のタッチパネル機能を無効とする。すなわち、接触操作があってもそれによる入力や指示の受け付けをしないように制御する。次に、ステップＳ５０７では、システム制御部５０は、タッチパネル部１１１の表示機能を有効とする。すなわち、タッチパネル部１１１への各種機能アイコン、メニュー画面を表示するよう制御し、本処理を終了させる。
【００６４】
一方、ステップＳ５０８では、システム制御部５０は、タッチパネル部１１１のタッチパネル機能を有効とする。すなわち、接触操作による入力や指示の受け付けをするよう制御し、その後、処理をステップＳ５０７に進める。
【００６５】
ステップＳ５０９では、システム制御部５０は、ステップＳ５０６と同様に、タッチパネル部１１１のタッチパネル機能を無効とする。次に、ステップＳ５１０では、タッチパネル部１１１の表示機能を無効とする。すなわち、タッチパネル部１１１への各種機能アイコン、メニュー画面を非表示とするよう制御し、本処理を終了させる。
【００６６】
例を挙げると、「閉−反転、ＥＶＦ：有効」の状態（図３（ｄ））の場合は、ステップＳ５０１→Ｓ５０４→Ｓ５０５→Ｓ５０９→Ｓ５１０の流れで処理される。「開−反転、ＥＶＦ：無効」の状態（図３（ｇ））の場合は、ステップＳ５０１→Ｓ５０２→Ｓ５０３→Ｓ５０８→Ｓ５０７の流れで処理される。「開−反転、ＥＶＦ：有効」の状態（図３（ｈ））の場合は、ステップＳ５０１→Ｓ５０２→Ｓ５０３→Ｓ５０６→Ｓ５０７の流れで処理される。
【００６７】
本実施の形態によれば、スイッチ９０、９１、９２の検出結果から、システム制御部５０は、可動パネル１１０が閉状態か開状態か、及び正位置か反転位置か、並びに、ＥＶＦ１０２が有効（ＯＮ）か無効（ＯＦＦ）かを判断する。そして、システム制御部５０は、それらの組み合わせによって、可動パネル１１０のタッチパネル部１１１の表示機能とタッチパネル機能とを制御する。
【００６８】
これにより、撮影者の意図を推測し、状況に応じた表示とタッチ操作の受け付けの制限を可能にすることができる。例えば、タッチパネル機能での誤操作を抑制することができる。
【００６９】
具体的には、例えば、「開−反転、ＥＶＦ：有効」の状態（図３（ｈ））の場合は、表示機能を有効とし、撮影中であることを示す文言、画像等の警告表示をタッチパネル部１１１に表示させて注意を喚起すると共に、タッチパネル機能を無効とする。従って、被写体が、警告表示を無視したり不用意にタッチパネル部１１１に接触したりしても、受け付けがなされず、誤操作となることを防ぐことができる。
【００７０】
一方、「開−反転、ＥＶＦ：無効」の状態（図３（ｇ））の場合は、表示機能、タッチパネル機能が共に有効とされる。これにより、撮影者は撮影状況を把握しながら撮影するだけでなく、撮影者の意図でタッチ入力による装置本体１０１の操作を行いながら、自分撮りを円滑に行うことが可能となる。
【００７１】
また、「閉−反転、ＥＶＦ：有効」の状態（図３（ｄ））の場合は、表示機能、タッチパネル機能が共に無効とされる。これにより、可動パネル１１０の内側面が外側に向いたまま閉位置に収容された状態で、撮影者が専らＥＶＦ１０２を覗きながら撮像するような場合でも、タッチパネル部１１１に不用意に指が触れて誤操作となることを防ぐことができる。
【００７２】
ところで、上記説明したスイッチ９０、９１、９２の構成は一例であり、位置を検出できる構成であればその構造は問わない。また、本実施の形態では、ＥＶＦ１０２が利用中か否かのシステム制御部５０による判断は、ＥＶＦ検出スイッチ９２からの信号に基づいてなされている。しかしこれに限られず、ＥＶＦ１０２の表示動作が行われているか否かによって判断してもよい。なお、ＥＶＦ１０２は可動式あったが、固定式を採用してもよい。その場合は、ユーザからのＥＶＦ１０２の利用のための指示操作の有無によって、利用中か否かを判断するようにしてもよい。
【００７３】
本実施の形態では、可動パネル１１０の開閉方向の位置、上下回動方向の位置、ＥＶＦ１０２の位置の判断については、それぞれいずれも２つに分けた領域のいずれに属するかという２段階での判断であった。しかしこれに限るものではなく、３つ以上に分けた領域のいずれに属するかを３段階以上で検出し、各領域に応じてタッチパネル部１１１の表示機能とタッチパネル機能とを詳細に制御するようにしてもよい。
【００７４】
また、タッチパネル機能を制御するに当たって、本実施の形態ではタッチパネル機能を全部有効あるいは全部無効となるようにした。しかしこれに限るものではなく、タッチパネル機能の一部の機能だけを無効にする等の制御も含めてもよい。例えば、タッチパネル部１１１の一部の領域においてだけ無効にする、あるいは、特定の種類のタッチ操作（タッチダウン、タッチアップ、ムーブ、フリック等）だけを無効にする等の制御が考えられる。
【００７５】
タッチパネル機能の一部無効の例を挙げると、例えば、シングルタッチ（１回タッチダウンしたあとタッチアップする操作）やフリックは、意図せずタッチパネルに触れても簡単に行えてしまう。そこで、例えば、「開−反転、ＥＶＦ：無効」の状態（図３（ｇ））の場合において、シングルタッチやフリックのタッチ操作の受け付けを無効とする。一方、ジェスチャ操作（ムーブの軌跡が所定条件を満たした場合に機能を発動する操作）や、ドラッグによって特定の表示アイテムを特定の場所に移動させる操作は、明らかに意図していなければ行えない操作である。そこで、ジェスチャ操作やドラッグのタッチ操作の受け付けは有効とする。
【００７６】
ところで、タッチパネル部１１１の表示機能及びタッチパネル機能を制御するに際し、本実施の形態では、被写体像がスルー画像として表示されている状態を例示して説明した。しかしこれに限られず、既に撮影記録済みの映像や静止画像をタッチパネル部１１１及びＥＶＦ１０２に並行して再生表示させる場合においても、上記制御を応用可能である。
【００７７】
本実施の形態では、可動パネル１１０の位置検出として、第１の回動軸Ｃ１を中心とした開閉位置と、第２の回動軸Ｃ２を中心とした上下回動方向の位置とについて行い、これらの組み合わせを制御に用いた。しかし、状況に応じた表示とタッチ操作の受け付けの制限を可能にする観点からは、可動パネル１１０は、必ずしも回動動作するものに限定されないし、ましてや２軸方向に可動であることも限定されない。また、２軸方向に可動する構成であっても、それら２軸は直交であることに限定されない。
【００７８】
例えば、可動パネル１１０が第１の回動軸Ｃ１を中心とした開閉動作のみを行える簡単な構成であるとする。その場合に、タッチパネル部１１１の表示機能及びタッチパネル機能を、可動パネル１１０の開閉位置とＥＶＦ１０２の位置との２つに基づいて制御してもよい。
【００７９】
特に、本発明が適用される電子装置はデジタルビデオカメラ１００やデジタルスチルカメラ等の撮像装置に限られず、適用される電子装置に応じて、タッチパネル部１１１の表示機能及びタッチパネル機能の最適な制御の態様は異なる。可動自在で表示機能及びタッチパネル機能を有した第１の表示部と、これとは別の第２の表示部とに、並行して像を表示させることが可能な電子装置であれば本発明を適用可能である。従って、パーソナルコンピュータ、ＰＤＡ、携帯電話端末、携帯型の画像ビューワ、ディスプレイを備えるプリンタ装置、デジタルフォトフレーム、音楽プレーヤ、ゲーム機、電子ブックリーダ等にも適用可能である。
【００８０】
ところで、本実施の形態では、タッチパネル部１１１と同じ像が並行表示されるものとしてＥＶＦ１０２を例示したが、これに限られず、光学ファインダや外付けの外部モニタであってもよい。このような変形例を図６で説明する。
【００８１】
図６は、変形例のカメラ１００の内部構成を示すブロック図であり、一部の構成要素の図示を省略している。
【００８２】
図６の例では、図２に示す例に対して、カメラ１００において、第２の表示部として、ＥＶＦ１０２は廃止され、代わりに光学ファインダ５５が設けられると共に、外部モニタ２０２が接続可能に構成される。さらに、接眼検知部５４、Ｉ／Ｆ５９、接続検知部５８が追加される。これらの点が図２の例とは異なり、カメラ１００内の他の構成要素の図示は省略されている。
【００８３】
Ｉ／Ｆ５９は、外部モニタ２０２を電気的に接続する。Ｉ／Ｆ５９には、端子として、上記したコネクタ１０５が該当するとしてもよい。また、外部モニタ２０２のＩ／Ｆ５９に対する接続の有無を接続検知部５８が検知し、その情報をシステム制御部５０に伝える。外部モニタ２０２が接続された状態では、システム制御部５０の制御により、メモリ３２（図２）に書き込まれた表示用の画像データは、Ｄ／Ａ変換器１３を介してタッチパネル部１１１だけでなく、Ｉ／Ｆ５９を介して外部モニタ２０２にも表示される。システム制御部５０は、接続検知部５８により、外部モニタ２０２が不図示の接続ケーブルでＩ／Ｆ５９に接続されていることが検知されているとき、外部モニタ２０２が利用中であると判断する。
【００８４】
光学ファインダ５５には、光学像が表示される。接眼検知部５４は、撮影者による光学ファインダ５５に対する接眼の有無を検知し、その検知結果の情報をシステム制御部５０に伝える。接眼検知の手法は、特開２００７−８６４６０号公報に開示されているような公知の手法で可能である。例えば、装置本体１０１において、光学ファインダ５５を覗いたときに撮影者の鼻等が接触するような位置に接触センサを設け、該接触センサで接触を検知することで接眼検知がなされる。システム制御部５０は、接眼検知部５４により、撮影者が光学ファインダ５５を覗いていることが検知されている場合に、光学ファインダ５５が利用中であると判断する。
【００８５】
かかる構成において、まず、光学ファインダ５５を用いる場合は、上記説明したタッチパネル部１１１の表示機能及びタッチパネル機能の制御（図５の機能制御処理）を次のように処理する。すなわち、図５の機能制御処理において、ＥＶＦ１０２が利用中か否かの判定結果に代えて、光学ファインダ５５が利用中か否かの判定結果に基づいて制御を行う。一方、外部モニタ２０２を用いる場合は、図５の機能制御処理において、ＥＶＦ１０２が利用中か否かに代えて、外部モニタ２０２が利用中か否かに基づいて制御を行う。
【００８６】
なお、この変形例において、光学ファインダ５５と外部モニタ２０２のいずれか一方のみを採用してもよい。両者を同時に採用した場合は、少なくともいずれか一方が利用中であると判断できたとき、図５の機能制御処理においてＥＶＦ１０２が利用中である場合と同様の制御を行えばよい。
【００８７】
なお、外部モニタ２０２は、有線接続のものを例示したが、無線接続のものであってもよい。また、外部モニタ２０２は、表示専用器でなくてもよく、他の撮像装置等の電子装置に設けられた表示部であってもよい。
【００８８】
なお、システム制御部５０による制御は、１つのハードウェアが行ってもよいし、複数のハードウェアが処理を分担することで行ってもよい。
【００８９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した実施形態は本発明の一実施形態を示すものにすぎず、各実施形態を適宜組み合わせることも可能である。
【００９０】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び、該プログラムをコンピュータで読み取りが可能なように記憶した記憶媒体は本発明を構成することになる。
【符号の説明】
【００９１】
５０  システム制御部
５５  光学ファインダ
９０  開閉検出スイッチ
９１  反転検出スイッチ
１１０  可動パネル
１１１  タッチパネル部
２０２  外部モニタ
Ｃ１  第１の回動軸
Ｃ２  第２の回動軸
【図１】
0005677051.tif 000002
【図２】
0005677051.tif 000003
【図３】
0005677051.tif 000004
【図４】
0005677051.tif 000005
【図５】
0005677051.tif 000006
【図６】
0005677051.tif 000007